(57)【要約】  本発明は、１つの移動体デバイスから別の移動体デバイスに送信されるテキストまたはマルチメディアメッセージにスポンサード広告を添付することによって、スポンサーシップまたは広告コンテンツを移動体メッセージ中に含めるためのシステムおよび方法に関する。１つの態様では、添付される広告のコンテンツは、特定のキーワードのような、送られている移動体メッセージのコンテンツに基づいて選択される。さらに、適切なメッセージを選択するために、メッセージ受信者に関する記憶されているプロファイル情報と、受信者の現在の位置または現地の時刻のような変わりやすい情報とを含む、メッセージ受信者に関する情報を使用することができる。スポンサーシップコンテンツは、メッセージの終わりに添付できるので、受信者に容易に見える。【選択図】    図１
2011526027.tif 000002
【特許請求の範囲】
【請求項１】
スポンサーシップメッセージをモバイルメッセージに添付するシステムにおいて、
宛先への配信用のモバイルメッセージを受け取り、前記モバイルメッセージを処理して、前記メッセージがスポンサーシップメッセージを受け取るか否かを決定する受信メッセージ配信サーバと、
前記スポンサーシップメッセージを受け取るように選択された前記モバイルメッセージを受け取り、前記スポンサーシップメッセージを受け取るために前記モバイルメッセージを転送する広告ゲートウェイウェイと、
前記スポンサーシップメッセージを前記モバイルメッセージに添付し、添付されたメッセージを生成させる広告配置モジュールと、
前記添付されたメッセージを受け取り、前記添付されたメッセージを前記宛先に配信するための、送信メッセージ配信サーバとを具備するシステム。
【請求項２】
前記受信メッセージ配信サーバと通信して、前記メッセージがスポンサーシップメッセージを受け取るか否かを決定するオプトインデータベースをさらに具備する請求項１記載のシステム。
【請求項３】
メッセージ受信者についてのプロファイル情報を含む加入者プロファイルデータベースをさらに具備し、前記プロファイル情報は、添付するための適切なスポンサーシップメッセージを決定するために、前記広告配置モジュールによって使用される請求項１記載のシステム。
【請求項４】
前記メッセージ受信者についての変わりやすい情報を含む移動体ネットワークをさらに具備し、前記変わりやすい情報は、添付するための適切なスポンサーシップメッセージを決定するために、前記広告配置モジュールによって使用される請求項１記載のシステム。
【請求項５】
前記広告配置モジュールは、前記モバイルメッセージのコンテンツに基づいて、スポンサーシップメッセージを選択する請求項１記載のシステム。
【請求項６】
前記モバイルメッセージは、ショートメッセージサービス（「ＳＭＳ」）モバイルメッセージである請求項１記載のシステム。
【請求項７】
前記送信メッセージ配信サーバは、ショートメッセージサービスセンター（「ＳＭＳＣ」）サーバである請求項６記載のシステム。
【請求項８】
前記モバイルメッセージは、マルチメディアメッセージサービス（「ＭＭＳ」）モバイルメッセージである請求項１記載のシステム。
【請求項９】
前記送信メッセージ配信サーバは、マルチメディアメッセージサービスセンター（「ＭＭＳＣ」）サーバである請求項８記載のシステム。
【請求項１０】
スポンサーシップメッセージをモバイルメッセージに添付するための方法において、
受信メッセージ配信サーバにおいて、宛先への配信用のモバイルメッセージを受け取り、前記モバイルメッセージを処理して、前記メッセージがスポンサーシップメッセージを受け取るか否かを決定することと、
広告ゲートウェイにおいて、前記スポンサーシップメッセージを受け取るように選択された前記モバイルメッセージを受け取り、前記スポンサーシップメッセージを受け取るために前記モバイルメッセージを転送することと、
広告配置モジュールにおいて、前記スポンサーシップメッセージを前記モバイルメッセージに添付し、添付されたメッセージを生成させることと、
送信メッセージ配信サーバを使用して、前記添付されたメッセージを前記宛先に配信することとを含む方法。
【請求項１１】
オプトインデータベースと通信して、前記メッセージがスポンサーシップメッセージを受け取るか否かを決定することをさらに含む請求項１０記載のシステム。
【請求項１２】
メッセージ受信者についてのプロファイル情報を含む加入者プロファイルデータベースと通信して、添付するための適切なスポンサーシップメッセージを決定することをさらに含む請求項１０記載のシステム。
【請求項１３】
前記メッセージ受信者についての変わりやすい情報を含む移動体ネットワークと通信し、添付するための適切なスポンサーシップメッセージを決定することをさらに含む請求項１０記載のシステム。
【請求項１４】
前記モバイルメッセージのコンテンツに基づいて、スポンサーシップメッセージを選択することをさらに含む請求項１０記載のシステム。
【請求項１５】
ショートメッセージサービス（「ＳＭＳ」）を、前記モバイルメッセージとして選択することをさらに含む請求項１０記載のシステム。
【請求項１６】
ショートメッセージサービスセンター（「ＳＭＳＣ」）サーバを、前記送信メッセージ配信サーバとして選択することをさらに含む請求項１５記載のシステム。
【請求項１７】
マルチメディアメッセージサービス（「ＭＭＳ」）を、前記モバイルメッセージとして選択することをさらに含む請求項１０記載のシステム。
【請求項１８】
マルチメディアメッセージサービスセンター（「ＭＭＳＣ」）サーバを、前記送信メッセージ配信サーバとして選択することをさらに含む請求項１７記載のシステム。
【発明の詳細な説明】
【発明の背景】
【０００１】
発明の分野
本発明は、コンテンツをモバイルメッセージに添付するためのシステムおよび方法に関する。さらに詳細には、コンテンツベースのスポンサーシップメッセージをテキストまたはマルチメディアメッセージに添付することに関する。
【０００２】
発明の背景
広告主は、常に、広告をユーザに提示するためのさらなる方法を探している。インターネットは、メッセージをターゲットオーディエンスに与えることに関心を向けている広告主にとって、有効なツールであると証明された。
【０００３】
インターネット上でのスポンサードサービスは、拡大することを目指している、確立した産業である。インターネットリーダは、自身の市場における地位を新しい領域に強化するための方法を模索している。モバイル領域は、最大の将来性があり、次の論理的な段階であると、多くの人々によって考えられている。
【０００４】
モバイル広告市場は、変わり始めている。コンテンツデベロッパは、セル電話機にねらいを定めており、個人向けモバイルサービスを対象としたアプリケーションに対する足がかりとしてセル電話機を見ている。新しいサービスは、まったく新しい１組の請求課題を提起する。広告をベースとした収入は、フリーサービスを提供することによってサービスプロバイダがエンドユーザに焦点を置く機会を提供する。
【０００５】
モバイルメッセージングは、モバイル産業の一部分であり、地球上のほとんどすべてのネットワークオペレータの、モバイルサービスの総収入に大いに貢献している。２００６〜２０１２年の期間の間、世界中のモバイル加入者層は、２６．５億人から４８．１億人に増加すると見込まれている。１９９２年に欧州で市場に出されたショートメッセージサービス（「ＳＭＳ」）は、産業の、最高の非音声の成功談であり、そして群を抜いて最も成功したデータアプリケーションであることが実証された。音声通話からの収入は、依然として、モバイルサービスの総収入の８０パーセントを構成しているが、ユーザ当たりのデータサービスの平均収入（「ＡＲＰＵ」）を増加させるために、オペレータは、データサービスにグローバルに焦点を当てている。（モバイルメッセージング、モバイルゲーム、ブラウジング等のような）さまざまなデータサービスのうち、モバイルメッセージングが、有力候補であり、ＳＭＳが先導している。マルチメディアメッセージングサービス（「ＭＭＳ」）はまた、さまざまな地域で、特に北アメリカで、より飛躍的な成長を遂げ始めている。
【０００６】
したがって、望まれるのは、実現することが容易で、既存のメッセージング機能を損わずに、関連広告コンテンツを加入者に提供するモバイルメッセージング媒体で広告を提供するためのシステムおよび方法である。
【発明の概要】
【０００７】
本発明は、モバイルメッセージにスポンサーシップメッセージを添付するためのシステムおよび方法に関連する。スポンサーシップメッセージは、ショートメッセージサービス（「ＳＭＳ」）、マルチメディアメッセージングサービス（「ＭＭＳ」）、インスタントメッセージング（「ＩＭ」）、Ｅメールまたは次世代モバイルメッセージングであろうとなかろうと、あらゆるのタイプの移動体メッセージに添付することができる。１つの態様では、スポンサーシップメッセージのコンテンツは文脈ベースであり、これにより、コンテンツは、メッセージの特徴に、あるいは、メッセージを送信または受信している加入者の特徴に基づいて選択される。
【０００８】
本発明はまた、宛先への配信用のモバイルメッセージを受け取り、モバイルメッセージを処理して、メッセージがスポンサーシップメッセージを受け取るか否かを決定する受信メッセージ配信サーバと、スポンサーシップメッセージを受け取るように選択されたモバイルメッセージを受け取り、スポンサーシップメッセージを受け取るためにモバイルメッセージを転送する広告ゲートウェイウェイと、スポンサーシップメッセージをモバイルメッセージに添付し、添付されたメッセージを生成させる広告配置モジュールと、添付されたメッセージを受け取り、添付されたメッセージを宛先に配信するための、送信メッセージ配信サーバとを具備する、スポンサーシップメッセージをモバイルメッセージに添付するシステムに関する。
【０００９】
別の態様では、システムは、受信メッセージ配信サーバと通信して、メッセージがスポンサーシップメッセージを受け取るか否かを決定するオプトインデータベースをさらに具備する。
【００１０】
さらなる態様では、システムは、メッセージ受信者についてのプロファイル情報を含む加入者プロファイルデータベースをさらに具備し、プロファイル情報は、添付するための適切なスポンサーシップメッセージを決定するために、広告配置モジュールによって使用される。
【００１１】
さらにもう１つの態様では、システムは、メッセージ受信者についての変わりやすい情報を含む移動体ネットワークをさらに具備し、変わりやすい情報は、添付するための適切なスポンサーシップメッセージを決定するために、広告配置モジュールによって使用される。
【００１２】
その上さらなる態様では、広告配置モジュールは、モバイルメッセージのコンテンツに基づいて、スポンサーシップメッセージを選択する。
【００１３】
別の態様では、モバイルメッセージは、ショートメッセージサービス（「ＳＭＳ」）モバイルメッセージである。
【００１４】
さらにもう１つ態様では、送信メッセージ配信サーバは、ショートメッセージサービスセンター（「ＳＭＳＣ」）サーバである。
【００１５】
さらなる態様では、モバイルメッセージは、マルチメディアメッセージサービス（「ＭＭＳ」）モバイルメッセージである。
【００１６】
その上さらなる態様では、送信メッセージ配信サーバは、マルチメディアメッセージサービスセンター（「ＭＭＳＣ」）サーバである。
【００１７】
本発明の別の態様では、スポンサーシップメッセージをモバイルメッセージに添付するための方法は、受信メッセージ配信サーバにおいて、宛先への配信用のモバイルメッセージを受け取り、モバイルメッセージを処理して、メッセージがスポンサーシップメッセージを受け取るか否かを決定することと；広告ゲートウェイにおいて、スポンサーシップメッセージを受け取るように選択されたモバイルメッセージを受け取り、スポンサーシップメッセージを受け取るためにモバイルメッセージを転送することと；広告配置モジュールにおいて、スポンサーシップメッセージをモバイルメッセージに添付し、添付されたメッセージを生成させることと；送信メッセージ配信サーバを使用して、添付されたメッセージを宛先に配信することとを含む。
【００１８】
後続する説明では、本発明に関連するさらなる様態が部分的に述べられ、説明から部分的に明らかになるだろう。または、本発明に関連するさらなる様態は、本発明の実施によって得られてもよい。本発明の態様は、エレメントの手段や、さまざまなエレメントを組み合わせたものや、以下の詳細な説明および特許請求の範囲において特に指摘した態様によって、実現および達成されてもよい。
【００１９】
先述および後述の双方の説明は、例示および説明だけのものであり、いかなる方法であってもクレームした発明、または、この出願を制限することを意図したものではないことを理解すべきである。
【図面の簡単な説明】
【００２０】
ここに組み込まれ、この明細書の一部を構成している添付図面は、説明とともに、本発明の実施形態を例証したものであり、本発明の技術の原理を説明および図解するための機能をしている。特に：
【図１】図１は、本発明の１つの態様にしたがった、スポンサーシップメッセージをモバイルメッセージに添付するシステムのコンポーネントを図解している図を図示している。
【図２】図２は、本発明の１つの態様にしたがった、スポンサーシップメッセージをモバイルメッセージに添付する方法を図解している図を図示している。
【発明の詳細な説明】
【００２１】
以下の詳細な説明では、図面に対する参照を行う。ここでは、同一の機能エレメントを同じ番号で指定している。前述した添付図面は、限定目的で示したものではなく、図解目的で示したものであり、そして特定の実施形態およびインプリメンテーションは、本発明の原理と矛盾するものではない。これらのインプリメンテーションは、当業者が本発明を実施できるように十分に詳細に記述しており、本発明の範囲および精神から逸脱することなく、他のインプリメンテーションを利用してもよく、さまざまなエレメントの構造変更および／または置換を行ってもよいことを理解すべきである。したがって、以下の詳細な説明は、限定の意味で解釈されるべきではない。さらに、記述したような、本発明のさまざまな実施形態は、汎用コンピュータ上で実行しているソフトウェアの形態で、専用化されたハードウェアの形態で、または、ソフトウェアおよびハードウェアを組み合わせた形態で実現されてもよい。
【００２２】
本発明は、モバイルメッセージにスポンサーシップメッセージを添付するためのシステムおよび方法に関する。スポンサーシップメッセージは、ショートメッセージングサービス（「ＳＭＳ」）、マルチメディアメッセージングサービス（「ＭＭＳ」）、または他のものであろうとなかろうと、あらゆるタイプのモバイルメッセージに添付することができる。モバイルメッセージは配信中にインターセプトされ、これにより、スポンサーシップメッセージまたはショートタグラインをメッセージに添付することができる。
【００２３】
１つの実施形態では、スポンサードメッセージングサービスへの加入者は、加入者のモバイルメッセージにスポンサーシップ情報を添付する見返りに、個人対個人のメッセージングに対するタリフ恩恵を受けるだろう。オプション的に、文脈に応じた情報は、加入者とともに広告主の双方に付加的な価値を提供することを考慮に入れることができる。ユーザ機器（「ＵＥ」）を変えなくても、スポンサーシップ情報は、何らかのモバイルメッセージ上に含めることができる。スポンサーシップメッセージは、アプリケーションから個人への（「Ａ２Ｐ」）メッセージまたはピアツーピア（「Ｐ２Ｐ」）メッセージ中に含めることができる。
【００２４】
図１に図示した、スポンサードメッセージを添付するシステムの第１の実施形態では、第１のハンドセットを使用している第１の加入者１０２が、（示していない）モバイルＳＭＳメッセージを作成し、このモバイルＳＭＳメッセージをハンドセット１０２から、すなわち発信デバイスから受信メッセージ配信サービス（「ＲＭＤＳ」）１０４に送る。１つの実施形態では、ＲＭＤＳは、ショートメッセージサービスセンター（「ＳＭＳＣ」）メッセージングサーバである。ＲＭＤＳ１０４は、メッセージを受け取るように第１の加入者によって選択された第２の加入者に関する加入者情報を含む、モバイルメッセージの宛先に関する情報を取得する。１つの実施形態では、ＲＭＤＳ１０４は、第２の加入者に関する情報をオプトインデータベース１０６から取得して、第２の加入者がスポンサーシップメッセージを受け取るのに適格であるか否かを決定する。加入者プロファイルデータベース１０８も存在しており、加入者プロファイルデータベース１０８は、使用しているハンドセットのタイプ、または、第２の加入者のプロファイルのような第２の加入者に関する詳細を含んでいる。第２の加入者のプロファイルは、どのスポンサードメッセージを添付するのかを決定するのに役立つであろう。さらなる実施形態では、広告キャンペーンプロファイル、準備されたユーザリストや、請求およびユーザビリティ情報も、加入者プロファイルデータベース１０８上に記憶されている。例えば、１つの特定の実施形態では、第２の加入者は、加入者のワイヤレスキャリアからの料金が減る見返りに、モバイルメッセージに添付されるスポンサーシップメッセージを受け取ることを選んでもよい。
【００２５】
加入者情報は、ネットワークに応じて入手可能であってもよく、加入者情報は、２つのグループに分けることができる。第１のグループは、加入者特有情報であり、この加入者特有情報は、加入者プロファイルデータベース１０８のようなオペレータのデータベースから取り出され、性別、年齢、アカウントのタイプ（ビジネス、プライベート、家族）、ワイヤレスサービス加入プラン、自宅または請求先住所、デバイスタイプおよび能力、移動体サービス記録および利用パターンのような情報を含む。第２のグループは、変わりやすい、すなわちメッセージ関連情報である。この情報は、移動体ネットワーク上で送られる特定のメッセージのみに関連するものであり、同じ加入者からのものでさえも、送られるそれぞれのメッセージによって異なる点で本質的に変わりやすい。図１に図示したように、この情報は、移動体ネットワーク１１０から入手可能である。ネットワーク上で入手可能であり得るメッセージ関連情報の例：送信者ＭＳＩＳＤＮ（Ｐ２Ｐ）または発信元アドレス（Ａ２Ｐ）、受信者ＭＳＩＳＤＮ、（ＭＳＣグローバルタイトルに基づいた）送信者の地理、ＤＣＳ（エンコーディングに必要な「データコーディングスキーム」）、使用されるテキストの長さ、メッセージコンテンツまたはテキストを含む。ロケーションベースのサービスが、例えば、ＳＲＩおよびＭＳＲＮ情報によって展開される場合、送信者および受信者の位置は、いくつかのネットワークで入手可能であるかもしれない。
【００２６】
いったん、加入者がスポンサードメッセージングに適格であると、ＲＭＤＳ１０４が決定すると、メッセージは、広告ゲートウェイ１１２に新ルートで送られる。加入者が、添付されたメッセージに適格でない場合、ＲＭＤＳ１０４は、広告ゲートウェイ１１２をバイパスし、送信メッセージング配信サービス（「ＳＭＤＳ」）１１６に配信用メッセージを送る。これについては、以下でより詳細に説明する。１つの実施形態では、広告配置のために到来メッセージをインターセプトするために、メッセージフローインターセプタがメッセージングサービス（ＳＭＳＣ、ＭＭＳＣ等）中に埋め込められている。広告ゲートウェイ１１２は、メッセージングサービスの内部または外部で実現してもよい。広告ゲートウェイ１１２は、加入者データベース１０８および移動体ネットワーク１１０のような異なるネットワークコンポーネントに対する、および、外部広告提供サービス１１４に対するインターフェースを実現し、これにより、ユーザデータおよびメッセージデータをネットワークから取り出すことが可能になるだろう。
【００２７】
広告ゲートウェイ１１２は、受信加入者についての加入者プロファイル情報を加入者データベース１０８から取得し、メッセージを広告提供サービス１１４に転送する。広告提供サービス１１４は、広告ゲートウェイ１１２によって取得した情報を使用して、スポンサーシップメッセージをメッセージに添付し、添付されたメッセージを生成させる。１つの態様では、広告提供サービス１１４は、広告ゲートウェイおよび他のシステムエレメントから独立している外部コンポーネントであるが、システム構成を簡素にするために、広告提供サービス１１４を他のシステムコンポーネントと組み合わせることが可能である。外部コンポーネントとした場合、広告提供サービス１１４は、オンライン広告のような、他の状況において広告配置に有用である、より変わりやすいコンポーネントとすることができるので、複数のタイプの通信プロトコルおよびネットワークにわたって、単一の広告ポリシーを実現するには利点となる。
【００２８】
いったん、広告提供サービス１１４がスポンサードメッセージを添付すると、添付されたメッセージが、広告ゲートウェイ１１２に返信される。これから、広告ゲートウェイ１１２は、第２のハンドセット１１８のような、その加入者のデバイスにおける受信加入者に、配信用の添付されたメッセージをＳＭＤＳ１１６に転送する。ＳＭＤＳ１１６は、プッシュプロキシゲートウェイ（「ＰＰＧ」）サーバ、ＳＭＳＣサーバ、マルチメディアメッセージングサービスセンター（「ＭＭＳＣ」）サーバとさらに定義されてもよく、または他の点では、送信および受信されているモバイルメッセージのタイプに応じて定義されてもよい。例えば、マルチメディア広告をメッセージに添付することによって、到来ＳＭＳメッセージを、ＭＭＳメッセージに変換してもよい。この状況では、ＭＭＳＣサーバは、ＭＭＳチャネルを通してメッセージを配信するためにＳＭＤＳ１１６として機能するだろう。ＳＭＤＳ１１６は、その後、広告付きの添付されたメッセージを第２のハンドセット１１８に配信し、受信者はメッセージを開いて読むことができる。メッセージングシステムは、インスタントメッセージング（「ＩＭ」）、拡張したＳＭＳ、インスタントＳＭＳ、コンバージドメッセージングのような、他のメッセージングプラットフォームを取り扱うこともできる。
【００２９】
代替実施形態では、同じキャリアのネットワーク上に位置付けられている、第１のハンドセット１０２と第２のハンドセット１１８との間でメッセージが送信される場合、受信および配信サービスを実行するために、ＲＭＤＳ１０４およびＳＭＤＳ１１６を組み合わせて１つのサーバにしてもよい。ネットワークトポロジー、技術、および、伴うキャリアの数により、このようなネットワーク構成が可能であるか否かが決定されるだろう。
【００３０】
１つの実施形態において、スポンサーシップメッセージのコンテンツがモバイルメッセージの特徴に基づいて選択されるように、スポンサーシップメッセージのコンテンツは文脈ベースである。これは、メッセージおよび加入者に関連する多数の要因によって決定できる。１つの態様では、システムは、メッセージ中のキーワードを解析し、キーワードに対応するスポンサーシップメッセージを添付する。図２は、スポンサーシップメッセージを添付する方法の１つの実施形態を図解している。ここでは、第１の加入者グレッグ１２０が、最初に、テキストメッセージを作成して（ステップ２０１）、自身のハンドセット１０２から、第２の受信者の加入者、ダイアナ１２４にテキストメッセージ１２２を送る（ステップ２０２）。テキストメッセージ１２２は、「コーヒー？」と書いており、コーヒーのためにグレッグと会うようにダイアナを誘っている。いったん、グレッグ１２０がメッセージ１２２を送ると、グレッグ１２０のワイヤレスキャリアが、ＲＭＤＳサーバ１０４においてメッセージを受け取り、メッセージを処理する（ステップ２０３）。処理ステップ２０３は、宛先の加入者、すなわちダイアナ１２４を識別し、（示していない）オプトインデータベース１０６にアクセスし、その後、ダイアナ１２４が、スポンサーシップメッセージを受け取るのに適格である「スポンサードメッセージング」加入者であるか否かを決定する。ＲＭＤＳサーバ１０４は、その後、メッセージ１２２を、（示していない）広告ゲートウェイ１２２に転送し、（示していない）広告ゲートウェイ１２２は、図１に関連して上述したように、テキストメッセージ１２２を広告提供サービス１１４に送る（ステップ２０４）。この実施形態では、広告提供サービス１１４が、テキストメッセージ１２２のコンテンツを解析し、グレッグのメッセージに添付されることになるスポンサーシップメッセージ１２６を選択して（ステップ２０５）、添付されたメッセージ１２８を生成させる。この特定の実施形態では、広告提供サービス１１４が、コーヒーショップのスポンサーシップメッセージを選択する。広告提供サービス１１４は、その後、広告ゲートウェイ１２２を通して、添付されたメッセージ１２８をＲＭＤＳ１０４に返信する（ステップ２０６）。コーヒーショップの新しく添付されたスポンサーシップメッセージ１２６により完成された、添付されたメッセージ１２８が、ダイアナの移動体デバイス１３０における、受信者ダイアナに配信される（ステップ２０７）。添付されたメッセージ１２８をダイアナが見るとき（ステップ２０８）、ダイアナは、グレッグからのテキストメッセージ１２２のコンテンツと、すぐ下にある、コーヒーショップのスポンサーシップメッセージ１２６とを見る。
【００３１】
１つの態様では、広告提供サービス１１４は、文脈ベースの広告を適切なサーチの隣に置くようにサーチエンジンによって動作されるもののような、オンラインアプリケーションである。オンライン広告提供サービスを使用すると、モバイルメッセージングフィールドに対する独立した広告配置アプリケーションのセットアップを必要としないことにより、システムが簡素化される。
【００３２】
別の態様では、単に「ｏｋ」と書いてあるメッセージのような非常に短いメッセージに、スポンサーシップメッセージが添付されないように、システムを設計することができる。このような短いメッセージのコンテンツ情報を決定することは、実用的でなさそうであるが、メッセージコンテンツ以外の情報に基づいて選択されたスポンサーシップメッセージ、または、汎用スポンサーシップメッセージを、代わりに選択してもよい。
【００３３】
代替的な実施形態では、スポンサーシップメッセージのコンテンツは、他の特徴に基づいて選択してもよい。適切なスポンサーシップメッセージを、その加入者によって受け取られるメッセージに添付するために、例えば、年齢、性別、音楽への関心等のような、ワイヤレスキャリアに知られ得るワイヤレス加入者の特徴を収集して使用してもよい。さらなる例示のように、ユーザがリングトーンをダウンロードする傾向があることを、ワイヤレスキャリアが把握している場合、リングトーンを提供している企業を広告するスポンサーシップメッセージが、加入者によって受け取られるモバイルメッセージに添付されるかもしれない。さらなる実施形態では、上述したように、スポンサーシップメッセージは、加入者の位置に、送信されているメッセージの時刻に、移動体ネットワークからの取得情報によってワイヤレスキャリアに知られている他の特徴に基づいて選択することができる。
【００３４】
１つの態様では、スポンサーシップメッセージは、インタラクティブであってもよく、広告に関連するウェブサイトに対するハイパーリンクを備えていてもよい。図２に図示した実施形態では、コーヒーショップのスポンサーシップメッセージ１２６が、コーヒーショップのウェブサイトに対するハイパーリンクを備えている。
【００３５】
代替実施形態では、第１の加入者が、モバイルメッセージを、１人よりも多い第２の加入者に送ることがある。第１の加入者が、第２の加入者のうちの１人以上のワイヤレスキャリアとは異なるワイヤレスキャリアを使用する場合、それぞれのワイヤレスキャリアは、独立した広告提供サービスを有しているかもしれない。この実施形態では、第１の加入者のキャリアの広告提供サービスおよび第２の加入者のキャリアの広告提供サービスの双方は、モバイルメッセージが受信者の第２の加入者に配信される前に、スポンサーシップメッセージをモバイルメッセージに添付する機会がある。
【００３６】
本発明のさまざまな態様は、単独であろうとなかろうと、または、本発明の他の態様と組み合わせたものであろうとなかろうと、ＬＳＢ２．０リナックス（登録商標）環境において動作しているコンピューティングプラットフォーム上で実行しているＣ＋＋コードで実現してもよい。しかしながら、ここで提供した本発明の態様は、他のオペレータレーティングシステム環境で動作するように適合されている、他のプログラミング言語で実現してもよい。さらに、方法論は、パーソナルコンピュータや、ミニコンピュータや、メインフレームや、ワークステーションや、ネットワーク化または分散されたコンピューティング環境や、独立した、荷粒子ツールに一体化された、または荷粒子と通信しているコンピュータプラットフォームや、これらに類するものを含む、何らかのタイプのコンピューティングプラットフォームで実現してもよいが、これらに限定されるものではない。さらに、本発明の態様は、ハードディスクや、光学読み取りおよび／または書き込み記憶媒体や、ＲＡＭや、ＲＯＭや、これらに類するもののようなコンピューティングプラットフォームに一体化していようとなかろうと、または、リムーバルであろうとなかろうと、何らかのメモリ媒体で提供される機械読み取り可能コードで実現してもよい。さらに、機械読み取り可能コード、またはこれらの一部は、ワイヤードまたはワイヤレスネットワークを通して送信してもよい。
【００３７】
最後に、ここで記述したプロセスおよび技術は、本質的に、任意の特定の装置に関連したものでなく、コンポーネントの何らかの適切な組み合わせによって実現してもよいことを理解すべきである。さらに、さまざまなタイプの汎用デバイスは、ここで記述した技術にしたがって使用してもよい。ここで記述した方法ステップを実行するための専用化された装置を構築する利点も分かるかもしれない。本発明は、特定の例に関連して記述されており、すべての観点において、制限されているであるというよりむしろ例示的であることを意図している。ハードウェアや、ソフトウェアや、ファームウェアの多くの異なる組み合わせは、本発明を実施するのに適しているだろうことを、当業者は正しく認識するだろう。例えば、記述したソフトウェアは、アセンブラ、Ｃ／Ｃ＋＋、パール、シェル、ＰＨＰ、Ｊａｖａ（登録商標）等のような、幅広いさまざまなプログラミングまたはスクリプト言語で実現してもよい。
【００３８】
本発明のさまざまな代表的な実施形態を、ある程度の特殊性を伴って上述してきたが、当業者は、明細書および特許請求の範囲で述べた発明の主題事項の精神または範囲から逸脱することなく、開示した実施形態に対する多数の変更を行うことができる。ここで、直接的または間接的に述べた方法論では、動作の、ある可能性ある順序でさまざまなステップおよび動作を記述したが、本発明の精神および範囲から必ずしも逸脱しないで、ステップおよび動作を再構成、再配置、または除去してもよいことを、当業者は認識するだろう。また、記述した実施形態のさまざまな態様および／またはコンポーネントは、コンテンツをモバイルメッセージに添付するシステムにおいて、単独で、または、任意の組み合わせで使用してもよい。上記の説明で含まれているすべての事項、または、添付図面で示したすべての事項は、限定ではなく例示として解釈すべきことを意図している。
【図１】
2011526027.tif 000003
【図２】
2011526027.tif 000004
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
スポンサーシップメッセージをモバイルメッセージに添付するシステムにおいて、
宛先への配信用のモバイルメッセージを受け取り、前記モバイルメッセージを処理して、前記モバイルメッセージがスポンサーシップメッセージを受け取るか否かを決定する受信メッセージ配信サーバと、
前記スポンサーシップメッセージを受け取るように選択された前記モバイルメッセージを受け取り、前記スポンサーシップメッセージを受け取るために前記モバイルメッセージを転送する広告ゲートウェイウェイと、
前記宛先の位置に基づいて前記スポンサースシップメッセージを選択し、前記スポンサーシップメッセージを前記モバイルメッセージに添付し、添付されたメッセージを生成させる広告配置モジュールと、
前記添付されたメッセージを受け取り、前記添付されたメッセージを前記宛先に配信するための、送信メッセージ配信サーバとを具備するシステム。
【請求項２】
前記受信メッセージ配信サーバと通信して、前記モバイルメッセージが前記スポンサーシップメッセージを受け取るか否かを決定するオプトインデータベースをさらに具備する請求項１記載のシステム。
【請求項３】
メッセージ受信者についてのプロファイル情報を含む加入者プロファイルデータベースをさらに具備し、前記広告配置モジュールは、前記プロファイル情報にも基づいて前記スポンサーシップメッセージを選択する請求項１記載のシステム。
【請求項４】
メッセージ受信者についての変わりやすい情報を含む移動体ネットワークをさらに具備し、前記広告配置モジュールは、前記変わりやすい情報にも基づいて前記スポンサーシップメッセージを選択する請求項１記載のシステム。
【請求項５】
前記広告配置モジュールは、前記モバイルメッセージのコンテンツにも基づいて前記スポンサーシップメッセージを選択する請求項１記載のシステム。
【請求項６】
前記モバイルメッセージは、ショートメッセージサービス（「ＳＭＳ」）メッセージである請求項１記載のシステム。
【請求項７】
前記送信メッセージ配信サーバは、ショートメッセージサービスセンター（「ＳＭＳＣ」）サーバである請求項６記載のシステム。
【請求項８】
前記モバイルメッセージは、マルチメディアメッセージサービス（「ＭＭＳ」）メッセージである請求項１記載のシステム。
【請求項９】
前記送信メッセージ配信サーバは、マルチメディアメッセージサービスセンター（「ＭＭＳＣ」）サーバである請求項８記載のシステム。
【請求項１０】
前記広告配置モジュールは、前記位置における時刻にも基づいて前記スポンサーシップメッセージを選択する請求項１記載のシステム。
【請求項１１】
スポンサーシップメッセージをモバイルメッセージに添付するための方法において、
受信メッセージ配信サーバにおいて、宛先への配信用のモバイルメッセージを受け取り、前記モバイルメッセージを処理して、前記モバイルメッセージがスポンサーシップメッセージを受け取るか否かを決定することと、
広告ゲートウェイにおいて、前記スポンサーシップメッセージを受け取るように選択された前記モバイルメッセージを受け取り、前記スポンサーシップメッセージを受け取るために前記モバイルメッセージを転送することと、
前記広告配置モジュールにおいて、前記宛先の位置に基づいて前記スポンサーシップメッセージを選択することと、
広告配置モジュールにおいて、前記スポンサーシップメッセージを前記モバイルメッセージに添付し、添付されたメッセージを生成させることと、
送信メッセージ配信サーバを使用して、前記添付されたメッセージを前記宛先に配信することとを含む方法。
【請求項１２】
オプトインデータベースと通信して、前記モバイルメッセージが前記スポンサーシップメッセージを受け取るか否かを決定することをさらに含む請求項１１記載の方法。
【請求項１３】
メッセージ受信者についてのそのプロファイル情報を加入者プロファイルデータベースと通信することをさらに含み、前記選択することは、前記プロファイル情報にも基づいている請求項１１記載の方法。
【請求項１４】
メッセージ受信者についての変わりやすい情報を含む移動体ネットワークと通信することをさらに含み、前記選択することは、前記変わりやすい情報にも基づいている請求項１１記載の方法。
【請求項１５】
前記選択することは、前記モバイルメッセージのコンテンツにも基づいている請求項１１記載の方法。
【請求項１６】
前記モバイルメッセージは、ショートメッセージサービス（「ＳＭＳ」）メッセージである請求項１１記載の方法。
【請求項１７】
ショートメッセージサービスセンター（「ＳＭＳＣ」）サーバを、前記送信メッセージ配信サーバとして選択することをさらに含む請求項１６記載の方法。
【請求項１８】
前記モバイルメッセージは、マルチメディアメッセージサービス（「ＭＭＳ」）メッセージである請求項１１記載の方法。
【請求項１９】
マルチメディアメッセージサービスセンター（「ＭＭＳＣ」）サーバを、前記送信メッセージ配信サーバとして選択することをさらに含む請求項１８記載の方法。
【請求項２０】
前記選択することは、前記位置における時刻にも基づいている前請求項１１記載の方法。
【手続補正２】
【補正対象書類名】明細書
【補正対象項目名】００３０
【補正方法】変更
【補正の内容】
【００３０】
１つの実施形態において、スポンサーシップメッセージのコンテンツがモバイルメッセージの特徴に基づいて選択されるように、スポンサーシップメッセージのコンテンツは文脈ベースである。これは、メッセージおよび加入者に関連する多数の要因によって決定できる。１つの態様では、システムは、メッセージ中のキーワードを解析し、キーワードに対応するスポンサーシップメッセージを添付する。図２は、スポンサーシップメッセージを添付する方法の１つの実施形態を図解している。ここでは、第１の加入者グレッグ１２０が、最初に、テキストメッセージを作成して（ステップ２０１）、自身のハンドセット１０２から、第２の受信者の加入者、ダイアナ１２４にテキストメッセージ１２２を送る（ステップ２０２）。テキストメッセージ１２２は、「コーヒー？」と書いており、コーヒーのためにグレッグと会うようにダイアナを誘っている。いったん、グレッグ１２０がメッセージ１２２を送ると、グレッグ１２０のワイヤレスキャリアが、ＲＭＤＳサーバ１０４においてメッセージを受け取り、メッセージを処理する（ステップ２０３）。処理ステップ２０３は、宛先の加入者、すなわちダイアナ１２４を識別し、（示していない）オプトインデータベース１０６にアクセスし、その後、ダイアナ１２４が、スポンサーシップメッセージを受け取るのに適格である「スポンサードメッセージング」加入者であるか否かを決定する。ＲＭＤＳサーバ１０４は、その後、メッセージ１２２を、（示していない）広告ゲートウェイ１２２に転送し、（示していない）広告ゲートウェイ１２２は、図１に関連して上述したように、テキストメッセージ１２２を広告提供サービス１１４に送る（ステップ２０４）。この実施形態では、広告提供サービス１１４が、テキストメッセージ１２２のコンテンツを解析し、グレッグのメッセージに添付されることになるスポンサーシップメッセージ１２６を選択して（ステップ２０５）、添付されたメッセージ１２８を生成させる。この特定の実施形態では、広告提供サービス１１４が、コーヒーショップのスポンサーシップメッセージを選択する。広告提供サービス１１４は、その後、広告ゲートウェイ１２２を通して、添付されたメッセージ１２８をＲＭＤＳ１０４に返信する（ステップ２０６）。コーヒーショップの新しく添付されたスポンサーシップメッセージ１２６により完成された、添付されたメッセージ１２８が、ダイアナの移動体デバイス１３０における、受信者ダイアナ１２４に配信される（ステップ２０７）。添付されたメッセージ１２８をダイアナ１２４が見るとき（ステップ２０８）、ダイアナは、グレッグ１２０からのテキストメッセージ１２２のコンテンツと、すぐ下にある、コーヒーショップのスポンサーシップメッセージ１２６とを見る。
【手続補正３】
【補正対象書類名】明細書
【補正対象項目名】００３８
【補正方法】変更
【補正の内容】
【００３８】
本発明のさまざまな代表的な実施形態を、ある程度の特殊性を伴って上述してきたが、当業者は、明細書および特許請求の範囲で述べた発明の主題事項の精神または範囲から逸脱することなく、開示した実施形態に対する多数の変更を行うことができる。ここで、直接的または間接的に述べた方法論では、動作の、ある可能性ある順序でさまざまなステップおよび動作を記述したが、本発明の精神および範囲から必ずしも逸脱しないで、ステップおよび動作を再構成、再配置、または除去してもよいことを、当業者は認識するだろう。また、記述した実施形態のさまざまな態様および／またはコンポーネントは、コンテンツをモバイルメッセージに添付するシステムにおいて、単独で、または、任意の組み合わせで使用してもよい。上記の説明で含まれているすべての事項、または、添付図面で示したすべての事項は、限定ではなく例示として解釈すべきことを意図している。
以下に、本願出願当初の特許請求の範囲に記載された発明を付記する。
〔１〕スポンサーシップメッセージをモバイルメッセージに添付するシステムにおいて、
宛先への配信用のモバイルメッセージを受け取り、前記モバイルメッセージを処理して、前記メッセージがスポンサーシップメッセージを受け取るか否かを決定する受信メッセージ配信サーバと、
前記スポンサーシップメッセージを受け取るように選択された前記モバイルメッセージを受け取り、前記スポンサーシップメッセージを受け取るために前記モバイルメッセージを転送する広告ゲートウェイウェイと、
前記スポンサーシップメッセージを前記モバイルメッセージに添付し、添付されたメッセージを生成させる広告配置モジュールと、
前記添付されたメッセージを受け取り、前記添付されたメッセージを前記宛先に配信するための、送信メッセージ配信サーバとを具備するシステム。
〔２〕前記受信メッセージ配信サーバと通信して、前記メッセージがスポンサーシップメッセージを受け取るか否かを決定するオプトインデータベースをさらに具備する〔１〕記載のシステム。
〔３〕メッセージ受信者についてのプロファイル情報を含む加入者プロファイルデータベースをさらに具備し、前記プロファイル情報は、添付するための適切なスポンサーシップメッセージを決定するために、前記広告配置モジュールによって使用される〔１〕記載のシステム。
〔４〕前記メッセージ受信者についての変わりやすい情報を含む移動体ネットワークをさらに具備し、前記変わりやすい情報は、添付するための適切なスポンサーシップメッセージを決定するために、前記広告配置モジュールによって使用される〔１〕記載のシステム。
〔５〕前記広告配置モジュールは、前記モバイルメッセージのコンテンツに基づいて、スポンサーシップメッセージを選択する〔１〕記載のシステム。
〔６〕前記モバイルメッセージは、ショートメッセージサービス（「ＳＭＳ」）モバイルメッセージである〔１〕記載のシステム。
〔７〕前記送信メッセージ配信サーバは、ショートメッセージサービスセンター（「ＳＭＳＣ」）サーバである〔６〕記載のシステム。
〔８〕前記モバイルメッセージは、マルチメディアメッセージサービス（「ＭＭＳ」）モバイルメッセージである〔１〕記載のシステム。
〔９〕前記送信メッセージ配信サーバは、マルチメディアメッセージサービスセンター（「ＭＭＳＣ」）サーバである〔８〕記載のシステム。
〔１０〕スポンサーシップメッセージをモバイルメッセージに添付するための方法において、
受信メッセージ配信サーバにおいて、宛先への配信用のモバイルメッセージを受け取り、前記モバイルメッセージを処理して、前記メッセージがスポンサーシップメッセージを受け取るか否かを決定することと、
広告ゲートウェイにおいて、前記スポンサーシップメッセージを受け取るように選択された前記モバイルメッセージを受け取り、前記スポンサーシップメッセージを受け取るために前記モバイルメッセージを転送することと、
広告配置モジュールにおいて、前記スポンサーシップメッセージを前記モバイルメッセージに添付し、添付されたメッセージを生成させることと、
送信メッセージ配信サーバを使用して、前記添付されたメッセージを前記宛先に配信することとを含む方法。
〔１１〕オプトインデータベースと通信して、前記メッセージがスポンサーシップメッセージを受け取るか否かを決定することをさらに含む〔１０〕記載の方法。
〔１２〕メッセージ受信者についてのプロファイル情報を含む加入者プロファイルデータベースと通信して、添付するための適切なスポンサーシップメッセージを決定することをさらに含む〔１０〕記載の方法。
〔１３〕前記メッセージ受信者についての変わりやすい情報を含む移動体ネットワークと通信し、添付するための適切なスポンサーシップメッセージを決定することをさらに含む〔１０〕記載の方法。
〔１４〕前記モバイルメッセージのコンテンツに基づいて、スポンサーシップメッセージを選択することをさらに含む〔１０〕記載の方法。
〔１５〕ショートメッセージサービス（「ＳＭＳ」）を、前記モバイルメッセージとして選択することをさらに含む〔１０〕記載の方法。
〔１６〕ショートメッセージサービスセンター（「ＳＭＳＣ」）サーバを、前記送信メッセージ配信サーバとして選択することをさらに含む〔１５〕記載の方法。
〔１７〕マルチメディアメッセージサービス（「ＭＭＳ」）を、前記モバイルメッセージとして選択することをさらに含む〔１０〕記載の方法。
〔１８〕マルチメディアメッセージサービスセンター（「ＭＭＳＣ」）サーバを、前記送信メッセージ配信サーバとして選択することをさらに含む〔１７〕記載の方法。
【国際調査報告】
2011526027.tif 000005